(57)【要約】【課題】細径の釣竿および太径の釣竿の両方に兼用できるロッドクランプ及びそれに用いる頭部付き円筒ナットを提供する。【解決手段】本発明に係るロッドクランプ１は、クランプ部材２と、ボルト３０に螺合される頭部付き円筒ナット６とを備え、円筒ナット６の頭部６Ｂの一方側には、クランプ部材２の通孔２ａに円筒ナット６の円筒部６Ａが挿通された状態でクランプ部材２に当接して螺合締め付け座面を規定する第１の当接部１７が設けられ、頭部６Ｂの他方側には、クランプ部材２の通孔２ａに円筒部６Ａが挿通されない状態でクランプ部材２に当接して螺合締め付け座面を規定する第２の当接部１５が設けられる。【選択図】  図２
2015181432.tif 000002
【特許請求の範囲】
【請求項１】
魚釣用リールの竿取り付け脚との間で釣竿を挟持固定するためのロッドクランプであって、
前記竿取り付け脚から延びるボルトが貫通する通孔を有し、前記竿取り付け脚との間で釣竿を挟持するためのクランプ部材と、
前記クランプ部材を前記ボルトに対して取着するために前記ボルトに螺合される頭部付き円筒ナットとを備え、
前記頭部付き円筒ナットは、前記クランプ部材の前記通孔に挿通可能で且つ前記ボルトが螺合する雌ネジが内周面に形成された所定長の円筒部と、該円筒部の一端部に設けられる頭部とを有し、
前記頭部の一方側には、前記クランプ部材の前記通孔に前記円筒部が挿通された状態で前記クランプ部材に当接して螺合締め付け座面を規定する第１の当接部が設けられ、前記頭部の他方側には、前記クランプ部材の前記通孔に前記円筒部が挿通されない状態で前記クランプ部材に当接して螺合締め付け座面を規定する第２の当接部が設けられることを特徴とするロッドクランプ。
【請求項２】
前記頭部の前記他方側には、前記頭部付き円筒ナットを締め付けるための工具が係合可能な係合溝が設けられ、前記円筒部の少なくとも他端部は、前記頭部付き円筒ナットを締め付けるための工具が係合できる係合部を有することを特徴とする請求項１に記載のロッドクランプ。
【請求項３】
前記係合部は、前記工具を嵌め合い係合できる前記円筒部の非円形の外形状、及び／又は、前記円筒部の他端部に設けられて前記工具が係合可能な係合溝から成ることを特徴とする請求項２に記載のロッドクランプ。
【請求項４】
前記頭部の前記他方側には、前記クランプ部材の前記通孔に挿通嵌合可能な突部が設けられることを特徴とする請求項１ないし請求項３のいずれか１項に記載のロッドクランプ。
【請求項５】
前記頭部の前記他方側には、前記クランプ部材の前記通孔に挿通嵌合可能な突部が設けられ、前記係合溝が前記突部に設けられることを特徴とする請求項２に記載のロッドクランプ。
【請求項６】
請求項１ないし請求項５のいずれか１項に記載のロッドクランプを構成する前記頭部付き円筒ナット。
【発明の詳細な説明】
【技術分野】
【０００１】
本発明は、魚釣用リールとの間で釣竿を挟持固定するためのロッドクランプ、および、該ロッドクランプに用いられる頭部付き円筒ナットに関する。
【背景技術】
【０００２】
例えば大物の魚などを対象にする釣りにおいては、魚釣用リールを釣竿に対して強固に取り付け固定するために、魚釣用リールのリール本体の底部に設けられる竿取り付け脚との間で釣竿を挟持固定するためのロッドクランプが必要に応じて用いられる。
【０００３】
このようなロッドクランプは、一般に、魚釣用リールの竿取り付け脚の左右両側に螺合固定される２本のボルトと、竿取り付け脚との間で釣竿を挟持するためのクランプ部材と、該クランプ部材を前記ボルトに対して取着するために前記ボルトに螺合される頭部付き円筒ナットとを備えており、前記ボルトをそれぞれ前記クランプ部材の対応する貫通穴に通して、魚釣用リールの竿取り付け脚とクランプ部材との間で釣竿を挟持した状態で、前記貫通穴から突出するボルトにそれぞれ前記頭部付き円筒ナットを螺合して締め付けることにより、釣竿が魚釣用リールに対して強固に挟持固定されるようになっている。
【先行技術文献】
【特許文献】
【０００４】
【特許文献１】特許第４３６６１２７号
【特許文献２】特許第４７７３０４７号
【特許文献３】実開昭５５−１５５４７２号
【発明の概要】
【発明が解決しようとする課題】
【０００５】
ところで、従来のロッドクランプは、一般に、大物の魚釣りで通常使用される太径の釣竿に合わせて、前記ボルトおよび前記頭部付き円筒ナットの長さなど、各構成要素の寸法が設定されている。そのため、近年の技術進歩に伴う釣竿の細径化の実現により、そのような細径の釣竿に対して従来のロッドクランプを使用しようとすると、１つの問題が生じる。
【０００６】
すなわち、従来のロッドクランプの頭部付き円筒ナットは、魚釣用リールの竿取り付け脚から延びるボルトと螺合する雌ネジが内周面に形成された所定長の円筒部と、該円筒部の端部にフランジ状に形成されるとともにマイナスドライバーが係合し得るマイナス形状のすり割り加工が施された（マイナス形状の凹状スリットが上面に施された）頭部とを有するが、細径の釣竿を挟持するために前記円筒部をボルトに所定量以上螺合すると、太径の釣竿に合わせて長い寸法に設定されているボルトが円筒ナットの頭部から突出してしまい、この突出するボルトが邪魔となってマイナスドライバーを円筒ナットの頭部に係合させることができなくなってしまう、あるいは、太径の釣竿に合わせて長い寸法に設定されている頭部付き円筒ナットの円筒部が魚釣用リールの竿取り付け脚に当て付いてしまい、竿取り付け脚とクランプ部材との間をそれ以上近づけることができなくなり、したがって、これらの間で釣竿を挟持できなくなってしまう。
【０００７】
一方、そのような事態を回避するために、ボルト（及び／又は、頭部付き円筒ナット）の長さを短くすると、今度は、太径の釣竿に対応できなくなる。そのため、細径の釣竿および太径の釣竿の両方に対応するためには、ボルト（及び／又は、頭部付き円筒ナット）が長いロッドクランプおよびボルト（及び／又は、頭部付き円筒ナット）が短いロッドクランプの２種類のロッドクランプを用意しなければならない。
【０００８】
本発明は、上記した問題に着目してなされたものであり、細径の釣竿および太径の釣竿の両方に兼用できるロッドクランプ及びそれに用いる頭部付き円筒ナットを提供することを目的とする。
【課題を解決するための手段】
【０００９】
上記した目的を達成するために、本発明は、魚釣用リールの竿取り付け脚との間で釣竿を挟持固定するためのロッドクランプであって、前記竿取り付け脚から延びるボルトが貫通する通孔を有し、前記竿取り付け脚との間で釣竿を挟持するためのクランプ部材と、前記クランプ部材を前記ボルトに対して取着するために前記ボルトに螺合される頭部付き円筒ナットとを備え、前記頭部付き円筒ナットは、前記クランプ部材の前記通孔に挿通可能で且つ前記ボルトが螺合する雌ネジが内周面に形成された所定長の円筒部と、該円筒部の一端部に設けられる頭部とを有し、前記頭部の一方側には、前記クランプ部材の前記通孔に前記円筒部が挿通された状態で前記クランプ部材に当接して螺合締め付け座面を規定する第１の当接部が設けられ、前記頭部の他方側には、前記クランプ部材の前記通孔に前記円筒部を挿通させない状態で前記クランプ部材に当接して螺合締め付け座面を規定する第２の当接部が設けられることを特徴とする。
【００１０】
このように、本発明のロッドクランプでは、クランプ部材の通孔に円筒部が挿通された状態でクランプ部材に当接して螺合締め付け座面を規定する第１の当接部が頭部付き円筒ナットの頭部の一方側に設けられるとともに、クランプ部材の通孔に円筒部が挿通されない状態でクランプ部材に当接して螺合締め付け座面を規定する第２の当接部が頭部付き円筒ナットの頭部の他方側に設けられるため、クランプ部材の通孔に頭部付き円筒ナットの円筒部を挿通させて円筒ナットの頭部の第１の当接部をクランプ部材に当接させるように円筒ナットを円筒部側からボルトに螺合させれば、クランプ部材の通孔から魚釣用リールの竿取り付け脚側へ突出する円筒部の長さによって魚釣用リールの竿取り付け脚とクランプ部材との間の距離を長く確保することが可能となり、太径の釣竿を魚釣用リールの竿取り付け脚とクランプ部材との間で挟持固定することができ、一方、クランプ部材の通孔に円筒ナットの円筒部を挿通させることなく円筒ナットの頭部の第２の当接部をクランプ部材に当接させるように円筒ナットを頭部側からボルトに螺合させれば、魚釣用リールの竿取り付け脚とクランプ部材との間に円筒部が介在しない分だけ魚釣用リールの竿取り付け脚とクランプ部材との間の距離を短くでき、したがって、細径の釣竿を魚釣用リールの竿取り付け脚とクランプ部材との間で挟持固定することができるとともに（円筒ナットの円筒部が魚釣用リールの竿取り付け脚に当て付いてしまい、竿取り付け脚とクランプ部材との間をそれ以上近づけることができなくなるといった事態も回避できる）、魚釣用リールの竿取り付け脚とクランプ部材との間の距離を短くした分だけ頭部を越えて延びるボルトの長さを円筒部内で受けることができるため、円筒部からのボルトの突出を防止でき、したがって、円筒ナットから突出するボルトが邪魔となって円筒ナットを締め付けるための工具を円筒ナットに係合させることができなくなるといった事態も回避できる。すなわち、本発明のロッドクランプによれば、細径の釣竿および太径の釣竿の両方に兼用できる（ボルトの共通の長さで、細径の釣竿および太径の釣竿の両方に対応できる）。
【００１１】
なお、上記構成において、「螺合締め付け座面」とは、ボルトに頭部付き円筒ナットを螺合して締め付けた際にその締め付け荷重を受ける面のことである。
【発明の効果】
【００１２】
本発明によれば、細径の釣竿および太径の釣竿の両方に兼用できるロッドクランプ及びそれに用いる頭部付き円筒ナットを提供することができる。
【図面の簡単な説明】
【００１３】
【図１】本発明の一実施形態に係るロッドクランプにより魚釣用リールの竿取り付け脚との間で太径の釣竿を挟持固定した状態を示す一部断面を伴う正面図である。
【図２】図１の要部拡大断面図である。
【図３】ロッドクランプの分解断面図である。
【図４】図３のＢ−Ｂ線に沿う断面図である。
【図５】図１に示されるロッドクランプを構成する頭部付き円筒ナットの斜視図である。
【図６】図１のＡ方向矢視図である。
【図７】図１に示されるロッドクランプにより魚釣用リールの竿取り付け脚との間で細径の釣竿を挟持固定した状態を示す要部拡大断面図である。
【図８】図７のＣ方向矢視図である。
【図９】図１のロッドクランプを構成する頭部付き円筒ナットの変形例を示す断面図である。
【図１０】図９のＤ方向矢視図である。
【発明を実施するための形態】
【００１４】
以下、図面を参照しながら、本発明のロッドクランプの一実施形態について説明する。
【００１５】
図１は、本発明の一実施形態に係るロッドクランプ１により魚釣用リール５０の竿取り付け脚５１Ｃとの間で太径の釣竿１００を挟持固定した状態を示す一部断面を伴う正面図である。
【００１６】
図１に示されるように、本実施形態のロッドクランプ１が適用される魚釣用リール５０は、両軸受型リールであり、左右のフレーム５２ａ，５２ｂを左右カバー５３ａ，５３ｂで覆った左右側板５１Ａ，５１Ｂを備えたリール本体５１を有している。リール本体５１には、左右側板５１Ａ，５１Ｂ間に位置し、釣竿１００に装着される竿取り付け脚５１Ｃが一体形成されている。なお、竿取り付け脚５１Ｃは、円形断面の釣竿１００を受ける湾曲状の受け面５９を有する。
【００１７】
また、左右のフレーム５２ａ，５２ｂ間には、スプール軸５５が軸受を介して回転可能に支持されており、スプール軸５５には、釣糸が巻回されるスプール５５Ａが一体的に固定されている。右側板５１Ｂ側には、スプール５５Ａを回転駆動するハンドル５８が設置されており、右フレーム５２ｂと右カバー５３ｂとの間の空間には、ハンドル５８の回転駆動力をスプール軸５５に伝達する公知の動力伝達機構６０が配設されている。
【００１８】
魚釣用リール５０の竿取り付け脚５１Ｃとの間で釣竿１００を挟持固定する本実施形態のロッドクランプ１は、図１〜図３に示されるように、竿取り付け脚５１Ｃとの間で釣竿１００を挟持するためのクランプ部材２を有する。このクランプ部材２は、図２および図３に明確に示されるように、魚釣用リール５０の竿取り付け脚５１Ｃの左右両側に螺合固定されて竿取り付け脚５１Ｃから延びる２本のボルト３０，３０が貫通する通孔２ａを有する。具体的には、クランプ部材２には、２本のボルト３０，３０に対応する左右両側の位置に座繰り穴２Ａが貫通して形成される。この座繰り穴２Ａは、竿取り付け脚５１Ｃと対向する内側に位置される前記通孔としての小径貫通孔２ａと、外側に位置されて小径貫通孔２ａと連通するとともに小径孔２ａよりも大きい内径を有する大径貫通孔２ｂとから成り、小径貫通孔２ａと大径貫通孔２ｂとの間に段差２ｄが形成される。なお、クランプ部材２は、円形断面の釣竿１００を受ける湾曲状の受け面２ｃを内側に有する。
【００１９】
また、本実施形態のロッドクランプ１は、クランプ部材２をボルト３０，３０に対して取着するためにボルト３０，３０に螺合される一対の頭部付き円筒ナット６，６を有する。各頭部付き円筒ナット６は、特に図５に明確に示されるように、クランプ部材２の通孔２ａに嵌合状態で挿通可能な所定長の円筒部６Ａと、円筒部６Ａの一端部にフランジ状に設けられる環状の頭部６Ｂとを有する。なお、頭部付き円筒ナット６の内周面には、円筒部６Ａから頭部６Ｂに至る全長にわたってボルト３０が螺合する雌ネジ２５が形成される。
【００２０】
また、本実施形態において、円筒部６Ａに面する頭部６Ａの一方側の面は、図１および図２に示されるように円筒部６Ａがクランプ部材２の小径貫通孔２ａに挿通された状態でクランプ部材２の座繰り穴２Ａの段差２ｄに当接して段差２ｄと共に螺合締め付け座面を規定する第１の当接部１７として形成されている（図５も参照）。特に、本実施形態では、第１の当接部１７が環状平面として形成される。
【００２１】
また、本実施形態において、円筒部６Ａから離れて面する頭部６Ａの他方側の面（前記一方側の面と反対側の面）は、図７に示されるように円筒部６Ａがクランプ部材２の小径貫通孔２ａに挿通されない状態でクランプ部材２の座繰り穴２Ａの段差２ｄに当接して段差２ｄと共に螺合締め付け座面を規定する第２の当接部１５として形成されている（図５も参照）。特に、本実施形態では、第２の当接部１５も環状平面として形成される。
【００２２】
また、本実施形態において、円筒部６Ａから離れて面する頭部６Ａの他方側の面には、クランプ部材２の通孔２ａに挿通嵌合可能な突部２３が設けられる。この場合、突部２３は、頭部６Ｂの外径よりも小さい外径の筒状を成して頭部６Ｂから軸方向に突出しており、その内面には頭部６Ｂから連続する雌ネジ２５が形成される。また、突部２３は、周方向に１８０°離間して対向する切り欠き１２，１２（係合溝）を有する。言い換えると、突部２３には、頭部付き円筒ナット６を締め付ける工具としてのマイナスドライバーが係合し得るマイナス形状のすり割り加工が施されている（マイナス形状の凹状スリットが形成されている）。したがって、突部２３は、円弧状の２つの壁部が対向して位置されることにより形成されていると言うこともできる。
【００２３】
また、図４および図５に明確に示されるように、円筒部６Ａは、その少なくとも他端部（頭部６Ｂと反対側の端部）に、特に本実施形態ではその全長にわたって、頭部付き円筒ナット６を締め付ける工具、例えばスパナやレンチ等が嵌め合い係合できる係合部１９を有する。特に、本実施形態において、この係合部１９は、円筒部６Ａの非円形（例えば、多角形、具体的には略四角形や略八角形など）の外形状から成る。
【００２４】
次に、上記構成のロッドクランプ１により魚釣用リール５０の竿取り付け脚５１Ｃとの間で太径の釣竿１００を挟持固定する場合について説明する。
ロッドクランプ１により太径の釣竿１００を挟持固定する場合には、まず最初に、図１および図２に示されるように、竿取り付け脚５１の受け面５９とクランプ部材２の受け面２ｃとの間で釣竿１００を挟持しつつ、クランプ部材２の座繰り穴２Ａにその小径貫通孔２ａ側からボルト３０を挿通する。そして、その状態で、今度は、クランプ部材２の小径貫通孔２ａに頭部付き円筒ナット６の円筒部６Ａを挿通させて円筒ナット６の頭部６Ｂの第１の当接部１７をクランプ部材２の座繰り穴２Ａの段差２ｄに当接させるように円筒ナット６を円筒部６Ａ側からボルト３０に螺合させる。この場合、図６に示されるように座繰り穴２Ａの大径貫通孔２ｂから露出する円筒ナット６の頭部６Ｂの切り欠き１２にマイナスドライバを係合させて円筒ナット６を締め付けることが好ましい。そのようにして完全に締め付けることにより、太径の釣竿１００が魚釣用リール５０に対して強固に挟持固定されるようになる。
【００２５】
以上から分かるように、この螺合形態では、クランプ部材２の小径貫通孔２ａから魚釣用リール５０の竿取り付け脚５１Ｃ側へ突出する円筒部６Ａの長さによって竿取り付け脚５１Ｃとクランプ部材２との間の距離を長く確保することができるため、太径の釣竿１００を魚釣用リール５０の竿取り付け脚５１Ｃとクランプ部材２との間で無理なく確実に挟持固定することができる。また、この場合、頭部６Ｂの外径よりも小さい外径の筒状を成す突部２３は、大径貫通孔２ｂから実質的に突出することなく大径貫通孔２ｂ内に収まるようになる。
【００２６】
一方、ロッドクランプ１により細径の釣竿２００を挟持固定する場合にも、図７に示されるように、竿取り付け脚５１の受け面５９とクランプ部材２の受け面２ｃとの間で釣竿２００を挟持しつつ、クランプ部材２の座繰り穴２Ａにその小径貫通孔２ａ側からボルト３０を挿通する。そして、その状態で、今度は、クランプ部材２の小径貫通孔２ａに円筒ナット６の円筒部６Ａを挿通させずに円筒ナット６の頭部６Ｂの第２の当接部１５をクランプ部材２の座繰り穴２Ａの段差２ｄに当接させるように（すなわち、先に説明した太径釣竿の場合とは逆に円筒ナット６を上下ひっくり返して）円筒ナット６を頭部６Ｂ側からボルト３０に螺合させる。この場合、頭部６Ｂの突部２３がクランプ部材２の小径貫通孔２ａに挿通嵌合されるため、円筒ナット６はガタ付きなく安定して保持される。また、この場合、図８に示されるように座繰り穴２Ａの大径貫通孔２ｂから突出する円筒ナット６の円筒部６Ａの端部外周（係合部１９）にレンチやスパナ等を嵌合（係合）させて円筒ナット６を締め付けることが好ましい。そのようにして完全に締め付けることにより、細径の釣竿２００が魚釣用リール５０に対して強固に挟持固定されるようになる。
【００２７】
以上から分かるように、この螺合形態では、魚釣用リール５０の竿取り付け脚５１Ｃとクランプ部材２との間に円筒部６Ａが介在しない分だけ竿取り付け脚５１Ｃとクランプ部材２との間の距離を短くでき、したがって、細径の釣竿２００を竿取り付け脚５１Ｃとクランプ部材２との間で問題なく確実に挟持固定することができる。また、この場合、竿取り付け脚５１Ｃとクランプ部材２との間の距離を短くした分だけ頭部６Ｂを越えて延びるボルト３０の長さを円筒部６Ａ内で受けることができ、円筒部６Ａからボルト３０が突出しない。
【００２８】
以上説明したように、本実施形態のロッドクランプ１では、クランプ部材２の小径貫通孔２ａに円筒部６Ａが挿通された状態でクランプ部材２に当接して螺合締め付け座面を規定する第１の当接部１７が頭部付き円筒ナット６の頭部６Ｂの一方側に設けられるとともに、クランプ部材２の小径貫通孔２ａに円筒部６Ａが挿通されない状態でクランプ部材２に当接して螺合締め付け座面を規定する第２の当接部１５が頭部付き円筒ナット６の頭部６Ｂの他方側に設けられるため、クランプ部材２の小径貫通孔２ａに頭部付き円筒ナット６の円筒部６Ａを挿通させて円筒ナット６の頭部６Ｂの第１の当接部１７をクランプ部材２に当接させるように円筒ナット６を円筒部６Ａ側からボルト２０に螺合させれば、クランプ部材２の小径貫通孔２ａから魚釣用リール５０の竿取り付け脚５１Ｃ側へ突出する円筒部６Ａの長さによって竿取り付け脚５１Ｃとクランプ部材２との間の距離を長く確保することが可能となり、太径の釣竿１００を竿取り付け脚５１Ｃとクランプ部材２との間で挟持固定することができ、一方、クランプ部材２の小径貫通孔２ａに円筒ナット６の円筒部６Ａを挿通させることなく円筒ナット６の頭部６Ｂの第２の当接部１５をクランプ部材２に当接させるように円筒ナット６を頭部６Ｂ側からボルト３０に螺合させれば、竿取り付け脚５１Ｃとクランプ部材２との間に円筒部６Ａが介在しない分だけ竿取り付け脚５１Ｃとクランプ部材２との間の距離を短くでき、したがって、細径の釣竿２００を竿取り付け脚５１Ｃとクランプ部材２との間で挟持固定することができるとともに（円筒ナット６の円筒部６Ａが竿取り付け脚５１Ｃに当て付いてしまい、竿取り付け脚５１Ｃとクランプ部材２との間をそれ以上近づけることができなくなるといった事態も回避できる）、竿取り付け脚５１Ｃとクランプ部材２との間の距離を短くした分だけ頭部６Ｂを越えて延びるボルト３０の長さを円筒部６Ａ内で受けることができるため、円筒部６Ａからのボルト３０の突出を防止でき、したがって、円筒ナット６から突出するボルト３０が邪魔となって円筒ナット６を締め付けるための工具を円筒ナット６に係合させることができなくなるといった事態も回避できる。すなわち、本実施形態のロッドクランプ１によれば、細径の釣竿２００および太径の釣竿１００の両方に兼用できる（ボルト３０の共通の長さで、細径の釣竿２００および太径の釣竿１００の両方に対応できる）。
【００２９】
なお、本発明は、前述した実施形態に限定されず、種々変形して実施することが可能である。例えば、前述した実施形態では、円筒ナット６の円筒部６Ａの係合部１９が非円形の外面として形成されているが、それに加えて、図９および図１０に示されるように、円筒部６Ａの他端部に更なる係合部として、工具が係合可能な係合溝１２、すなわち、頭部６Ｂの突部２３に設けられる切り欠き１２と同様の係合溝１２が設けられてもよい。このようにすれば、状況に合わせてマイナスドライバーまたはスパナやナットを選択的に使用して円筒部６Ａを締め付けることができる。また、前述した実施形態では、本発明のロッドクランプ１が両軸受型リールに適用されているが、ロッドクランプ１と共に使用されるリールの種類は任意である。また、前述した実施形態において、円筒ナット６の頭部６Ｂに設けられる当接部１５，１７は平面として形成されているが、平面でなくてもよく、表面に凹凸を有してもよい。また、円筒ナット６に設けられる係合部１９の形状、切り欠き１２の形状も任意であり、使用される締め付け工具の種類も任意である。また、ロッドクランプ１に使用される円筒ナット６は、ロッドクランプに限らず、例えばロッドキーパなどにも適用して使用できる。また、前述した実施形態では、ボルト３０および円筒ナット６が挿通される穴が座繰り穴であったが、そのような穴である必要はない。また、大径貫通孔がなくても構わない。
【符号の説明】
【００３０】
１  ロッドクランプ
２  クランプ部材
２ａ  通孔
６  頭部付き円筒ナット
６Ａ  円筒部
６Ｂ  頭部
１２  切り欠き（係合溝）
１５  第２の当接部
１７  第１の当接部
１９  係合部
２３  突部
２５  雌ネジ
３０  ボルト
５０  魚釣用リール
５１Ｃ  竿取り付け脚
１００，２００  釣竿
【図１】
2015181432.tif 000003
【図２】
2015181432.tif 000004
【図３】
2015181432.tif 000005
【図４】
2015181432.tif 000006
【図５】
2015181432.tif 000007
【図６】
2015181432.tif 000008
【図７】
2015181432.tif 000009
【図８】
2015181432.tif 000010
【図９】
2015181432.tif 000011
【図１０】
2015181432.tif 000012